(57)【要約】      （修正有）【課題】適宜メッセージを書き込め、上折返し片を基片裏面がわに折返すと共に、上折返し片を粘着部で接着することで、罫線部分に書き込んだメッセージを折返した上折返し片で簡単に覆え、この状態を確実に維持でき、メーセージの内容が特定の相手以外に知られる虞が全くなく、構成簡素で、取扱い易く、量産に適し、低廉なメモ用紙を提供する。【解決手段】少なくとも基片と上折返し片３とを備え、基片の表面に表示部を設け、基片の裏面に罫線を設けてメッセージを書き込めるように形成し、上折返し片３の裏面に接着、剥離が繰返し可能となるような粘着部７を設け、上折返し片３を基片裏面がわに折返すと共に、上折返し片３を粘着部７で接着して、罫線部分に書き込んだメッセージを覆った状態を維持できるよう構成する。【選択図】図３
0003154537.tif 000002
【実用新案登録請求の範囲】
【請求項１】
少なくとも基片と上折返し片とを備え、基片の表面に表示部を設け、基片の裏面に罫線を設けてメッセージを書き込めるように形成し、上折返し片の裏面に接着、剥離が繰返し可能となるような粘着部を設け、上折返し片を基片裏面がわに折返すと共に、上折返し片を粘着部で接着して、罫線部分に書き込まれたメッセージが覆われた状態を維持できるように構成したことを特徴とするメモ用紙。
【請求項２】
少なくとも基片と下折返し片と上折返し片とを備え、基片の表面に表示部を設け、基片及び下折返し片の裏面に罫線を設けてメッセージを書き込めるように形成し、上折返し片の裏面に接着、剥離が繰返し可能となるような粘着部を設け、下折返し片と上折返し片を基片裏面がわに折返すと共に、上折返し片を粘着部で接着して、罫線部分に書き込まれたメッセージが覆われた状態を維持できるように構成したことを特徴とするメモ用紙。
【請求項３】
基片と下折返し片と上折返し片と左右側片とを備え、基片の表面に表示部を設け、基片及び下折返し片の裏面に罫線を設けてメッセージを書き込めるように形成し、上折返し片の裏面に接着、剥離が繰返し可能となるような粘着部を設け、下折返し片と上折返し片と左右側片を基片裏面がわに折返すと共に、上折返し片を粘着部で接着して、罫線部分に書き込まれたメッセージが覆われた状態を維持できるように構成したことを特徴とするメモ用紙。
【考案の詳細な説明】
【技術分野】
【０００１】
本考案は、主に、職場や学校や家庭等に於いて伝言用として使用されるメモ用紙に係り、特に、書き込まれたメッセージ部分を簡単に隠しておけるように工夫した興趣に富むメモ用紙に関するものである。
【背景技術】
【０００２】
従来、この種のメモ用紙としては、例えば、特許文献１に示すようなメモ用紙が提案されている。これは、複数枚のシートをそれぞれの表面または裏面の一辺部において互いに着脱自在に貼り合せてなるメモ用紙であって、前記シートの表裏面に情報欄が設けられたものである。
【先行技術文献】
【特許文献】
【０００３】
【特許文献１】実用新案登録第３０７１７３９号公報
【考案の概要】
【考案が解決しようとする課題】
【０００４】
ところで、前述の如きメモ用紙にあっては、メーセージや連絡先等を周囲の人に知らせることができるようにしたもので、メーセージや連絡先等を隠すような工夫がされたものではない。そのため、メーセージの内容が特定の相手以外に知られては都合が悪いような場合には、利用することができない問題点があった。
【０００５】
そこで、本考案は、書き込まれたメーセージの内容が特定の相手以外に知られる虞がなく、しかも、構成が簡素で、取扱い易く、量産に適し、低廉に提供でき、興趣に富むようなメモ用紙を提供できるようにすべく案出されたものである。
【課題を解決するための手段】
【０００６】
しかして、前述の如き課題等を達成すべく、請求項１記載のメモ用紙Ａにあっては、少なくとも基片１と上折返し片３とを備え、基片１の表面に表示部６を設け、基片１の裏面に罫線８を設けてメッセージを書き込めるように形成し、上折返し片３の裏面に接着、剥離が繰返し可能となるような粘着部７を設け、上折返し片３を基片１裏面がわに折返すと共に、上折返し片３を粘着部７で接着して、罫線８部分に書き込まれたメッセージが覆われた状態を維持できるように構成する手段を採用した。
【０００７】
また、請求項２記載のメモ用紙Ａにあっては、少なくとも基片１と下折返し片２と上折返し片３とを備え、基片１の表面に表示部６を設け、基片１及び下折返し片２の裏面に罫線８を設けてメッセージを書き込めるように形成し、上折返し片３の裏面に接着、剥離が繰返し可能となるような粘着部７を設け、下折返し片２と上折返し片３を基片１裏面がわに折返すと共に、上折返し片３を粘着部７で接着して、罫線８部分に書き込まれたメッセージが覆われた状態を維持できるように構成する手段を採用した。
【０００８】
更に、請求項３記載のメモ用紙Ａにあっては、基片１と下折返し片２と上折返し片３と左右側片４、５とを備え、基片１の表面に表示部６を設け、基片１及び下折返し片２の裏面に罫線８を設けてメッセージを書き込めるように形成し、上折返し片３の裏面に接着、剥離が繰返し可能となるような粘着部７を設け、下折返し片２と上折返し片３と左右側片４、５を基片１裏面がわに折返すと共に、上折返し片３を粘着部７で接着して、罫線８部分に書き込まれたメッセージが覆われた状態を維持できるように構成する手段を採用した。
【考案の効果】
【０００９】
従って、本考案の請求項１記載のメモ用紙Ａによれば、基片１の裏面の罫線８部分に適宜メッセージを書き込むことができ、更に、上折返し片３を基片１裏面がわに折返すと共に、上折返し片３を粘着部７で接着することで、罫線８部分に書き込まれたメッセージを折返された上折返し片３で簡単に覆うことができるようになり、この覆われた状態を確実に維持できるようになる。すなわち、書き込まれたメーセージの内容が特定の相手以外に知られる虞が全くないものとなる。しかも、構成が簡素で、取扱い易く、量産に適し、低廉に提供できるメモ用紙Ａとなる。
【００１０】
また、本考案の請求項２記載のメモ用紙Ａによれば、基片１及び下折返し片２の裏面の罫線８部分に適宜メッセージを書き込むことができるようになると共に、比較的長いメッセージを書き込むことができるようになる。更に、上折返し片３及び下折返し片２を基片１裏面がわに折返すと共に、上折返し片３を粘着部７で接着することで、罫線８部分に書き込まれたメッセージを折返された下折返し片２と上折返し片３で簡単に覆うことができるようになり、この覆われた状態を確実に維持できるようになる。すなわち、書き込まれたメーセージの内容が特定の相手以外に知られる虞が全くないものとなる。しかも、構成が簡素で、取扱い易く、量産に適し、低廉に提供できるメモ用紙Ａとなる。
【００１１】
そして、本考案の請求項３記載のメモ用紙Ａによれば、基片１及び下折返し片２の裏面の罫線８部分に適宜メッセージを書き込むことができるようになると共に、比較的長いメッセージを書き込むことができるようになる。更に、上折返し片３と下折返し片２と左右側片４、５を基片１裏面がわに折返すと共に、上折返し片３を粘着部７で接着することで、罫線８部分に書き込まれたメッセージを折返された下折返し片２と上折返し片３と左右側片４、５で覆うことができるようになり、この覆われた状態を確実に維持できるようになる。すなわち、書き込まれたメーセージの内容が特定の相手以外に知られる虞が全くないものとなる。しかも、構成が簡素で、取扱い易く、量産に適し、低廉に提供できるメモ用紙Ａとなる。
尚、罫線８部分に書き込まれたメッセージを覆う際に、折返された下折返し片２と上折返し片３だけで行い、左右側片４、５を基片１裏面がわに折曲げる（例えば、９０度）ことにより、この左右側片４、５を支持脚片として図４に示すようにメモ用紙Ａを立てることもでき、より興趣に富むメモ用紙Ａとなる。
【図面の簡単な説明】
【００１２】
【図１】本考案のメモ用紙を利用したメモ帳の斜視図である。
【図２】本考案のメモ用紙の裏面がわを示す正面図である。
【図３】本考案のメモ用紙の折畳み途中の状態を例示する斜視図である。
【図４】本考案のメモ用紙の使用状態を例示する斜視図である。
【図５】本考案の他のメモ用紙の表面がわを示す正面図である。
【図６】本考案の他のメモ用紙の裏面がわを示す正面図である。
【図７】本考案の他のメモ用紙の折畳み状態を例示する斜視図である。
【考案を実施するための形態】
【００１３】
以下、本考案を図示例に基づいて説明すると、次の通りである。
本考案は、主に、職場や学校や家庭等に於いて伝言用として使用されるメモ用紙Ａである。
具体的には、本考案のメモ用紙Ａは、少なくとも基片１と上折返し片３とを備え、基片１の表面に表示部６を設け、基片１の裏面に罫線８を設けてメッセージを書き込めるように形成し、上折返し片３の裏面に接着、剥離が繰返し可能となるような粘着部７を設け、上折返し片３を基片１裏面がわに折返すと共に、上折返し片３を粘着部７で接着して、罫線８部分に書き込まれたメッセージが覆われた状態を維持できるように構成したものである。
【実施例】
【００１４】
図１から図４に示すメモ用紙Ａは、基片１と下折返し片２と上折返し片３と左右側片４、５とを備え、基片１の表面に表示部６を設け、基片１及び下折返し片２の裏面に罫線８を設けてメッセージを書き込めるように形成し、上折返し片３の裏面に接着、剥離が繰返し可能となるような粘着部７を設け、下折返し片２と上折返し片３と左右側片４、５を基片１裏面がわに折返すと共に、上折返し片３を折返された下折返し片２や左右側片４、５に粘着部７で接着して、罫線８部分に書き込まれたメッセージが覆われた状態を維持できるように構成したものである。
【００１５】
前記基片１は、例えば、矩形状を呈し、その表面には、郵便封筒状（周縁部分の斜めの縁取り模様や消印模様等）の表示部６が印刷され、その裏面には罫線８が印刷されている。すなわち、郵便物をイメージするようなメモ用紙Ａとなって、興趣に富んだものとなるように形成されている。
【００１６】
前記下折返し片２は、例えば、矩形状を呈し、基片１の下端縁に連設され、その裏面には罫線８が印刷されている。すなわち、基片１の裏面の罫線８と合せて比較的長いメッセージを書き込めるように形成されている。
【００１７】
前記上折返し片３は、例えば、三角形状を呈し、基片１の上端縁に連設され、その裏面の一部（或いは、全部）には粘着部７が設けられている。
【００１８】
前記左右側片４、５は、例えば、台形状を呈し、基片１の左右側端縁に夫々連設されており、図３に示すように基片１の裏面がわに折返すようにしても良いし、或いは、図４に示すように、左右側片４、５を基片１裏面がわに９０度に折曲げ、この左右側片４、５を支持脚片としてメモ用紙Ａ（基片１）を斜めに立てられるように形成しても良い。すなわち、メモ用紙Ａを立設状態に置くことが可能となり、より興趣に富むものとなる。
【００１９】
また、図５から図７に示すメモ用紙Ａは、適宜キャラクターの形状に形成した基片１と、基片１の下端縁に連設した下折返し片２と、基片１の上端縁に連設した上折返し片３とを備え、基片１の表面に適宜キャラクターの目、鼻、口、耳等を表現した表示部６を設け、基片１及び下折返し片２の裏面に罫線８を設けてメッセージを書き込めるように形成し、上折返し片３の裏面に接着、剥離が繰返し可能となるような粘着部７を設け、下折返し片２と上折返し片３を基片１裏面がわに折返すと共に、上折返し片３を折返された下折返し片２に粘着部７で接着して、罫線８部分に書き込まれたメッセージが覆われた状態を維持できるように構成したものである。
【００２０】
前記表示部６は、例えば、郵便をイメージするような図柄や模様や、適宜キャラクターや、宛名部分の欄や、差出人部分の欄や、その他の適宜図柄や模様等が適宜採用でき、これらが基片１や下折返し片２や上折返し片３や左右側片４、５の表面部分に自由に施せるものである。
【００２１】
前記粘着部７は、例えば、接着、剥離が繰返し可能となるような粘着剤によって構成され、基片１の裏面部分に形成されている。尚、この粘着部７は、下折返し片２や左右側片４、５の裏面部分に設けるようにしても良い。
【００２２】
前記罫線８は、例えば、適宜メッセージが書き込み易いものであれば良く、適宜枠線で構成したものであっても良し、その他適宜自由に設定できるものである。
【００２３】
図中Ｂは、台紙で、この台紙Ｂの上に多数積重されたメモ用紙Ａが貼り付けられるようになる（図１参照）。
【００２４】
ところで、メモ用紙Ａの具体的構成、形状、寸法、材質、基片１の具体的形状、寸法、材質、下折返し片２の具体的形状、寸法、材質、上折返し片３の具体的形状、寸法、材質、右側片４の具体的形状、寸法、材質、左側片５の具体的形状、寸法、材質、表示部６の具体的構成、形状、寸法、粘着部７の具体的形状、寸法、材質、配設位置、罫線８の具体的形状、寸法、配設位置、台紙Ｂの具体的構成、形状、寸法、材質等は図示例のものなどに限定されることなく適宜自由に設定、変更できるものである。
【産業上の利用可能性】
【００２５】
しかして、本考案のメモ用紙Ａは、罫線８部分に適宜メッセージを書き込め、罫線８部分に書き込まれたメッセージを簡単に覆うことができ、書き込まれたメーセージの内容が特定の相手以外に知られることがないものとなる。
【符号の説明】
【００２６】
Ａ      メモ用紙
１      基片
２      下折返し片
３      上折返し片
４      右側片
５      左側片
６      表示部
７      粘着部
８      罫線
Ｂ      台紙
【図１】
0003154537.tif 000003
【図２】
0003154537.tif 000004
【図３】
0003154537.tif 000005
【図４】
0003154537.tif 000006
【図５】
0003154537.tif 000007
【図６】
0003154537.tif 000008
【図７】
0003154537.tif 000009